(57)【要約】      （修正有）【課題】手動ハンドルの代わりとなる可搬式駆動装置を用いる際、安定した状態で入力軸に可搬式駆動装置を取り付けて使用することができる水門開閉装置を提供する。【解決手段】入力軸１９及び入力軸１９における先端部１９ａ以外の部分を囲うケーシング２１を有する動力伝達部と、入力軸１９を回転させる可搬式駆動装置１４とを備える水門開閉装置において、可搬式駆動装置１４は、出力軸２９を有する回転駆動部、出力軸２９の先端部に接続され、出力軸２９と入力軸１９とを連結するカップリング２４、及びカップリング２４の周囲を覆うように回転駆動部の外面に配設され、先側端面２５ａがケーシング２１に当接して固定可能に構成されている筒状のカップリングケース２５を備える。【選択図】図５
0003187613.tif 000002
【実用新案登録請求の範囲】
【請求項１】
先端部に手動ハンドルを着脱可能に形成されている入力軸、及び該入力軸における前記先端部以外の部分を囲うケーシングを有する動力伝達部と、前記手動ハンドルの代替として用いられ、前記入力軸を回転させる可搬式駆動装置とを備え、
前記入力軸の回転運動により水門の開閉を行う水門開閉装置において、
前記可搬式駆動装置は、出力軸を有する回転駆動部、前記出力軸の先端部に接続され、前記出力軸と前記入力軸とを連結するカップリング、及び該カップリングの周囲を覆うように前記回転駆動部の外面に配設され、先側端面が前記ケーシングに当接して固定可能に構成されている筒状のカップリングケースを備えることを特徴とする水門開閉装置。
【請求項２】
請求項１記載の水門開閉装置において、前記カップリングケース及び前記ケーシングのいずれか一方は、他方との当接面Ａの内周縁に形成される環状凸部、及び前記当接面Ａにおける前記環状凸部の外側に形成される突起部を有し、前記他方は、前記一方との当接面Ｂの内周縁に形成され、前記環状凸部が嵌合する環状凹部、及び前記当接面Ｂにおける前記環状凹部の外側に形成され、前記突起部が嵌合する窪み部を有することを特徴とする水門開閉装置。
【請求項３】
請求項１又は２記載の水門開閉装置において、前記カップリングケースの側壁には開口部が設けられていることを特徴とする水門開閉装置。
【請求項４】
請求項１〜３のいずれか１項に記載の水門開閉装置において、前記カップリングケースと前記ケーシングとの当接部分はそれぞれフランジ構造を有し、前記ケーシングには、前記カップリングケースと前記ケーシングとを前記各フランジ構造を挟持して固定する複数のシールアップボルトが設けられていることを特徴とする水門開閉装置。
【請求項５】
請求項１〜４のいずれか１項に記載の水門開閉装置において、前記可搬式駆動装置は、前記回転駆動部と前記カップリングケースとの連結部分から延出する把持部を備えることを特徴とする水門開閉装置。
【請求項６】
請求項１〜５のいずれか１項に記載の水門開閉装置において、前記回転駆動部がモータ及び第１のケーブルを有し、
前記第１のケーブルと接続され、前記モータの回転方向を制御する操作盤、及び前記操作盤に接続され、外部電源を供給する第２のケーブルを備えることを特徴とする水門開閉装置。
【考案の詳細な説明】
【技術分野】
【０００１】
本考案は、水路に設けられる水門の開閉を行う水門開閉装置に関する。
【背景技術】
【０００２】
従来、農業用水路や、浄水場、発電所、揚水場等の水路には、開閉により流量を制御する水門が設けられている。この水門には、開閉のためのモータ等の動力を備える駆動装置が設けられているものがある一方、非電化区域に設置する場合や比較的小型の水門の場合など、ハンドル操作により手動で開閉を行うものも広く普及している（特許文献１、２参照）。しかし、手動で水門の開閉作業を行うことは、重労働であり、かつ時間を要する。そこで、手動ハンドルを取り外し、入力軸にモータの出力軸を係合して電動で水門を開閉することができる電動水門開閉装置が提案されている（特許文献３参照）。
【先行技術文献】
【特許文献】
【０００３】
【特許文献１】特開平０４−５５５１０号公報
【特許文献２】実開平０６−１４２２８号公報
【特許文献３】特開２０１１−８９２８６号公報
【考案の概要】
【考案が解決しようとする課題】
【０００４】
しかし、特許文献３記載の電動水門開閉装置（以下、単に装置という。）においては、入力軸に対する装置の固定が、係合部分において軸方向と垂直な方向に挿入される一本のノックピンのみによって行われている。この装置はモータ等を備えているため、ある程度の重量があり、また、使用の際に振動等も生じる。しかし、このように一本のノックピンのみで固定する構造であると、装置を十分に固定しきれずに不安定である。装置の固定状態が不安定であると、装置の動力が十分に入力軸に伝わらずに効率が低下したり、装置が入力軸から外れたりするおそれがある。そこで、これらを防ぐためには、使用の際、手で装置を支えておくことなどが必要となり作業性が良くない。
【０００５】
本考案はかかる事情に鑑みてなされたもので、手動ハンドルの代わりとなる可搬式駆動装置を用いる際、安定した状態で入力軸に可搬式駆動装置を取り付けて使用することができる水門開閉装置を提供することを目的とする。
【課題を解決するための手段】
【０００６】
前記目的に沿う本考案に係る水門開閉装置は、
先端部に手動ハンドルを着脱可能に形成されている入力軸、及び該入力軸における前記先端部以外の部分を囲うケーシングを有する動力伝達部と、前記手動ハンドルの代替として用いられ、前記入力軸を回転させる可搬式駆動装置とを備え、
前記入力軸の回転運動により水門の開閉を行う水門開閉装置において、
前記可搬式駆動装置は、出力軸を有する回転駆動部、前記出力軸の先端部に接続され、前記出力軸と前記入力軸とを連結するカップリング、及び該カップリングの周囲を覆うように前記回転駆動部の外面に配設され、先側端面が前記ケーシングに当接して固定可能に構成されている筒状のカップリングケースを備える。
【０００７】
本考案に係る水門開閉装置において、前記カップリングケース及び前記ケーシングのいずれか一方は、他方との当接面Ａの内周縁に形成される環状凸部、及び前記当接面Ａにおける前記環状凸部の外側に形成される突起部を有し、前記他方は、前記一方との当接面Ｂの内周縁に形成され、前記環状凸部が嵌合する環状凹部、及び前記当接面Ｂにおける前記環状凹部の外側に形成され、前記突起部が嵌合する窪み部を有することが好ましい。
【０００８】
本考案に係る水門開閉装置において、前記カップリングケースの側壁には開口部が設けられていることが好ましい。
【０００９】
本考案に係る水門開閉装置において、前記カップリングケースと前記ケーシングとの当接部分はそれぞれフランジ構造を有し、前記ケーシングには、前記カップリングケースと前記ケーシングとを前記各フランジ構造を挟持して固定する複数のシールアップボルトが設けられていることが好ましい。
【００１０】
本考案に係る水門開閉装置において、前記可搬式駆動装置は、前記回転駆動部と前記カップリングケースとの連結部分から延出する把持部を備えることが好ましい。
【００１１】
本考案に係る水門開閉装置において、前記回転駆動部がモータ及び第１のケーブルを有し、前記第１のケーブルと接続され、前記モータの回転方向を制御する操作盤、及び前記操作盤に接続され、外部電源を供給する第２のケーブルを備えることが好ましい。
【考案の効果】
【００１２】
本考案に係る水門開閉装置においては、可搬式駆動装置が筒状のカップリングケースを有し、入力軸に取り付ける際にカップリングケースの先側端面がケーシングと当接して固定されるように構成されている。すなわち、固定の際、カップリングケースの環状の先側端面がケーシングと当接した状態となるため、安定した状態で入力軸に可搬式駆動装置を取り付けて使用することができる。
【００１３】
本考案に係る水門開閉装置において、カップリングケースとケーシングとの一方が当接面Ａの内周縁に形成される環状凸部を有し、他方が当接面Ｂの内周縁に形成され前記環状凸部が嵌合する環状凹部（印ろう）を有する場合、取り付けの際に、環状凸部を環状凹部に嵌合させることで、軸合わせを容易に行うことができる。さらに、回り止めとなる突起部及び窪み部を有する場合、環状凸部を環状凹部に嵌合させた後、突起部を窪み部に嵌合させることで、可搬式駆動装置の固定（回り止め）を容易に行うことができる。
【００１４】
本考案に係る水門開閉装置において、カップリングケースの側壁に開口部が設けられている場合、可搬式駆動装置を取り付ける際に、カップリングと入力軸とを開口部から視認しながら接続することができる。また、開口部から手を入れて、例えば角状の入力軸の先端部やカップリングを回転させながら入力軸をカップリングに嵌め込むことができる。このように、カップリングケースに開口部が設けられていることで、取り付けの際の作業性を高めることができる。
【００１５】
本考案に係る水門開閉装置において、カップリングケースとケーシングとの当接部分はそれぞれフランジ構造を有し、各フランジ構造を挟持して固定する複数のシールアップボルトが設けられている場合、複数のシールアップボルトによりカップリングケースをケーシングに押し付けるように固定することができる。このため、取り付けた状態の可搬式駆動装置の安定性をより高めることができる。
【００１６】
本考案に係る水門開閉装置において、可搬式駆動装置が把持部を備える場合、可搬式駆動装置の取扱性等を高めることができ、より安定的にかつ容易に取り付けを行うことができる。さらに、把持部が回転駆動部とカップリングケースとの連結部分、すなわち可搬式駆動装置の略中央部分から延出していると、把持した際の可搬式駆動装置のバランスがよいため取扱性がより高まる。
【００１７】
本考案に係る水門開閉装置において、回転駆動部がモータを有し、ケーブルにより外部電源をモータに供給できるように構成されている場合、外部電源を利用して可搬式駆動装置を駆動させることができ、可搬式駆動装置の軽量化も図ることができる。また、本考案に係る水門開閉装置がモータの回転方向を制御する操作盤を備える場合、操作盤により水門の開閉に応じてモータの回転方向を制御することができ、作業性が向上する。
【図面の簡単な説明】
【００１８】
【図１】本考案の一実施の形態に係る水門開閉装置を示す平面図である。
【図２】同水門開閉装置を示す正面図である。
【図３】同水門開閉装置を示す側面図である。
【図４】（Ａ）は同水門開閉装置の可搬式駆動装置を示す平面図であり、（Ｂ）はその正面図であり、（Ｃ）はその側面図である。
【図５】同水門開閉装置の可搬式駆動装置を取り付けた状態を示す断面図である。
【考案を実施するための形態】
【００１９】
続いて、添付した図面を参照しながら本考案を具体化した実施の形態について説明する。なお、図１〜図５においては、一部に記載を省略した部分がある。
【００２０】
本考案の実施の形態に係る図１〜図３に示す水門開閉装置１０は、水門の開閉を行う装置である。図１〜図３に主に示すように、水門開閉装置１０は、基台１１、基台１１の上側に設置され、入力軸１９（図５参照）及び出力軸２０を有する動力伝達部１２、動力伝達部１２の出力側（出力軸２０）と連結するドラム１３、それぞれ動力伝達部１２の入力側（入力軸１９）に着脱可能に連結される可搬式駆動装置１４及び手動ハンドル１５、動力伝達部１２の上側に設置されている開度表示計１６、並びに基台１１の上側に配置された操作盤１８を主に備えている。さらに、水門開閉装置１０は、動力伝達部１２、ドラム１３、開度表示計１６及び操作盤１８を覆う図示しないカバーを備えている。
【００２１】
水門開閉装置１０の作動の概略は以下のとおりである。すなわち、可搬式駆動装置１４又は手動ハンドル１５により動力伝達部１２の入力軸１９を回転させ、この入力軸１９の回転運動が伝達されてドラム１３が回転する。ドラム１３の回転により、ワイヤ３０が巻き取られて、図示しない水門が開く。なお、入力軸１９の回転方向を逆にすることにより、ワイヤ３０がドラム１３から引き出され、水門が閉じる。
【００２２】
基台１１は、動力伝達部１２等を設置するための台であり、例えば金属製等のフレーム構造体を用いることができる。基台１１上にはハンドル格納箱３１が設置されており、不使用時の手動ハンドル１５を格納することができる。
【００２３】
動力伝達部１２は、上述した入力軸１９及び出力軸２０に加え、入力軸１９と出力軸２０とを連結する動力伝達手段（複数のギヤ３１ａ、３１ｂ等：一部のみ図示）及びケーシング２１を備えている。動力伝達部１２は、動力伝達手段を介して、入力軸１９の回転運動を所定の減速比で出力軸２０に伝達する。この減速比は変更可能に構成されていてもよく、例えば、手動ハンドル１５を用いる場合と、可搬式駆動装置１４を用いる場合とで変更可能に構成されていてもよい。
【００２４】
入力軸１９は、その先端部１９ａへの手動ハンドル１５及び可搬式駆動装置１４の着脱、並びに手動ハンドル１５及び可搬式駆動装置１４の操作に伴う回転が可能に形成されている。具体的には、入力軸１９の先端部１９ａは、四角柱等の角柱状、キー溝が設けられた円柱状等に形成されている。また、入力軸１９には、安全装置としてトルクリミッタが設けられている。
【００２５】
ケーシング２１は例えば金属製等の剛体である。ケーシング２１は、入力軸１９における先端部１９ａ以外の部分、出力軸２０における先端部（ドラム１３と連結する側）以外の部分、及び動力伝達手段を囲っている。すなわち、入力軸１９の先端部１９ａと出力軸２０の先端部とは、それぞれケーシング２１から露出（突出）した状態となっている。ケーシング２１における入力軸１９を囲う部分は略円筒形状体２１ａである。この略円筒形状体２１ａと、入力軸１９とは同軸に構成されている（図５参照）。また、この略円筒形状体２１ａの底部中央が開口しており、この開口部分から入力軸１９の先端部１９ａが突出している。また、ケーシング２１（略円筒形状体２１ａ）における入力軸１９の先端部１９ａの突出側端部（後述するカップリングケース２５との当接側端部）はフランジ構造２１ｂを有している。
【００２６】
後に詳述するように、可搬式駆動装置１４の使用時（取付時）においては、ケーシング２１における入力軸１９の突出部分の周囲（略円筒形状体２１ａの環状の端面２１ｃ）が、カップリングケース２５と当接する。この端面２１ｃを、カップリングケース２５との当接面Ｂとする。図３に示すようにこの環状の端面２１ｃ（当接面Ｂ）には、内周縁に環状凹部２１ｄが形成され、端面２１ｃにおいて環状凹部２１ｄの外側に２つの窪み部２１ｅが形成されている。２つの窪み部２１eは、共に扁平した円柱形状の窪み構造であり、入力軸１９を基準に対称位置に配置されている。
【００２７】
ケーシング２１の略円筒形状体２１ａの外周には、２つのシールアップボルト２２が設けられている。一のシールアップボルト２２は略円筒形状体２１ａの上部に、他のシールアップボルト２２は略円筒形状体２１ａの下部に設けられている。図５に示すように、シールアップボルト２２は、蝶ナット２２ａ、この蝶ナット２２ａに対応するボルト２２ｂ、このボルト２２ｂの後端部（蝶ナット２２ａを嵌めない側の端部）を中心にボルト２２ｂを回転可能に支持する支持部材２２ｃを有している。支持部材２２ｃが略円筒形状体２１ａの外周に固定されている。また、シールアップボルト２２は、略円筒形状体２１ａの中心軸を含む面上をボルト２２ｂが回転するように配置されている。なお、ケーシング２１のフランジ構造２１ｂにおいては、シールアップボルト２２に対応する部分には、ボルト２２ｂを先端側に倒すことができるように、切り欠き２１ｆが設けられている。
【００２８】
可搬式駆動装置１４は、手動ハンドル１５の代替として用いられ、動力伝達部１２の入力軸１９を回転させる装置である。図４（Ａ）〜（Ｃ）に主に示すように、可搬式駆動装置１４は、回転駆動部２３、カップリング２４、カップリングケース２５、及び２つの把持部２６を備えている。
【００２９】
回転駆動部２３は、モータ（図示しない）及び第１のケーブル２８を有し、モータの先端には出力軸２９が設けられている。第１のケーブル２８は、操作盤１８に接続可能に構成されている。モータの重量、出力等は、使用する水門のサイズ等に応じて適宜選択すればよいが、例えば、重量としては可搬性を考慮して３〜１５ｋｇ程度、手動ハンドルの１５の代替であることから、出力としては０．０５〜１ｋＷ程度のモータを使用することができる。
【００３０】
カップリング２４は、略円筒状であり、回転駆動部２３の出力軸２９の先端部に嵌めこまれ、出力軸２９と共に回転可能に接続されている。カップリング２４は、使用時において（図５参照）、回転駆動部２３の出力軸２９と、動力伝達部１２の入力軸１９とを連結する。カップリング２４には、軸方向先端側に、動力伝達部１２の入力軸１９の先端部１９ａが嵌め込まれる穴部２４ａが設けられている。この穴部２４ａは、入力軸１９の先端部１９ａに対応した形状となっている。例えば、入力軸１９の先端部１９ａが四角柱状である場合、穴部２４ａの形状は四角柱状となっている。このカップリング２４により、可搬式駆動装置１４の出力軸２９と動力伝達部１２の入力軸１９とを連結し、可搬式駆動装置１４の駆動により入力軸１９を回転させることができる。カップリング２４は、消耗した場合やサイズ等を変える場合などのために交換可能に設計されている。
【００３１】
カップリングケース２５は、筒状形状を有し、回転駆動部２３の出力軸２９側の端部外面に、カップリング２４の周囲を覆うように配設されている。カップリングケース２５は、カップリング２４により可搬式駆動装置１４の出力軸２９と動力伝達部１２の入力軸１９とを連結させた際、カップリングケース２５の先側端面２５ａが動力伝達部１２のケーシング２１の表面（端面２１ｃ）と当接するように構成されている（先側端面２５ａが、ケーシング２１との当接面Ａとなる）。先側端面２５ａ（当接面Ａ）は環状であるため、当接状態の安定性が高い。
【００３２】
カップリングケース２５の先側（ケーシング２１と当接する側）はフランジ構造２５ｂとなっている。このフランジ構造２５ｂの上部及び下部には、シールアップボルト２２のボルト２２ｂを倒して嵌め込むための切り欠き２５ｃが形成されている。
【００３３】
カップリングケース２５の環状の先側端面２５ａ（当接面Ａ）には、内周縁に環状凸部２５ｄが形成され、先側端面２５ａにおいて環状凸部２５ｄの外側に２つの突起部２５ｅが形成されている。２つの突起部２５ｅは、共に扁平した円柱形状であり、先側端面２５ａの中心を基準に対称位置に配置されている。環状凸部２５ｄは、ケーシング２１の端面２１ｃ（当接面Ｂ）に設けられた環状凹部２１ｄに嵌合するように形成されている。また、２つの突起部２５ｅは、ケーシング２１の端面２１ｃ（当接面Ｂ）に設けられた２つの窪み部２１eにそれぞれ嵌合するように形成されている。
【００３４】
カップリングケース２５の側壁には、四角形状の開口部２５ｆが設けられている。開口部２５ｆは、可搬式駆動装置１４を取り付けた際に、横方向となる位置に形成されている。
【００３５】
２つの把持部２６は、回転駆動部２３とカップリングケース２５との連結部分から延出し、出力軸２９と平行に回転駆動部２３側に延びた構造となっている。この出力軸２９と平行に回転駆動部２３側に延びた円柱状部分２６aが具体的に把持される部分である。２つの把持部２６は、出力軸２９を中心に反対位置に設けられている。また、可搬式駆動装置１４を動力伝達部１２に取り付けた際、一の把持部２６が上側位置に、他の把持部２６が下側位置になるように各把持部２６は配置されている。
【００３６】
手動ハンドル１５は、動力伝達部１２の入力軸１９の先端部１９aに着脱可能に形成されている。手動ハンドル１５の入力軸１９との接続部分は、入力軸１９の先端部１９aの形状に対応した形状となっている。例えば、入力軸１９の先端部１９aが四角柱状である場合、手動ハンドル１５の接続部分は四角柱状の穴構造が形成されている。手動ハンドル１５は、クランク型や丸型のもの等を用いることができる。
【００３７】
開度表示計１６は、動力伝達部１２のケーシング２１の入力軸１９側の側面に配置されている。この開度表示計１６は、水門の開度を表示するよう構成されている。
【００３８】
操作盤１８は、基台１１上の動力伝達部１２の入力軸１９側の近傍のスペースに配置されている。操作盤１８は、図示しない第２のケーブルと接続されている。第２のケーブルは、例えば電柱等から外部電源を供給する。可搬式駆動装置１４を使用する際は、可搬式駆動装置１４の第１のケーブル２８が操作盤１８に接続され、可搬式駆動装置１４に外部電源が供給される。操作盤１８には、可搬式駆動装置１４のモータのオンオフのスイッチの他、回転方向制御のスイッチが設けられている。なお、操作盤１８においては、ワイヤ３０を所定値以上に巻き上げることを防止する制御機能が組み込まれていてもよい。この制御機能としては、例えば、予め回転数の上限を決めておき、その回転数に到達すると回転を止める（モータをオフにする）ような機能としておくことができる。
【００３９】
次に、水門開閉装置１０の使用方法について説明する。水門開閉装置１０を手動ハンドル１５により操作する場合は、手動ハンドル１５を動力伝達部１２の入力軸１９の先端部１９ａに連結して、手動ハンドル１５を手動にて回転させればよい（図１、図２参照）。
【００４０】
水門開閉装置１０を可搬式駆動装置１４により操作する場合は、以下のように、可搬式駆動装置１４を動力伝達部１２に取り付けて使用する（図５を主に参照）。可搬式駆動装置１４の把持部２６を把持し、カップリング２４を入力軸１９の先端部１９ａに嵌め込む。この際に、可搬式駆動装置１４のカップリングケース２５に形成された開口部２５ｆから、カップリング２４及び入力軸１９を視認しながら嵌めこみ作業を行うことができる。また、開口部２５ｆから手を入れて、例えば角状の入力軸１９の先端部１９aやカップリング２４を回転させながら、入力軸１９をカップリング２４に嵌め込むことができる。
【００４１】
カップリング２４を入力軸１９の先端部１９aに嵌め込んだ際、カップリングケース２５の先側端面２５aに形成された環状凸部２５ｄが、動力伝達部１２のケーシング２１の端面２１ｃに形成された環状凹部２１ｄに嵌るため、軸合わせを容易に行うことができる。さらに、可搬式駆動装置１４を回転させて、カップリングケース２５の突起部２５eをケーシング２１の窪み部２１ｅに嵌めることにより、可搬式駆動装置１４が回転方向に対して固定される。
【００４２】
カップリング２４を入力軸１９に嵌め込んだ状態、すなわち、可搬式駆動装置１４の出力軸２９と動力伝達部１２の入力軸１９との連結状態においては、可搬式駆動装置１４のカップリングケース２５の先側端面２５aは、動力伝達部１２のケーシング２１の端面２１ｃと当接している。この当接状態で、カップリングケース２５（可搬式駆動装置１４）は、２つのシールアップボルト２２により固定される。すなわち、シールアップボルト２２により、ケーシング２１のフランジ構造２１ｂとカップリングケース２５のフランジ構造２５ｂとが挟持され、固定される。このように、固定の際、カップリングケース２５の環状の先側端面２５ａがケーシング２１と当接した状態となるため、安定した状態で入力軸１９に可搬式駆動装置１４を取り付けて使用することができる。また、２つのシールアップボルト２２を用いることで、カップリングケース２５をケーシング２１に押し付けるように固定することができる。このため、取り付けた状態の可搬式駆動装置１４の安定性をより高めることができる。なお、２つのシールアップボルト２２において、上側のシールアップボルト２２で上側を先に固定することにより、取り付けの作業効率が高まる。
【００４３】
可搬式駆動装置１４の取り付け後は、第１のケーブル２８を操作盤１８に接続し、操作盤１８に接続されている第２のケーブルを外部電源に接続する。このようにした状態で、操作盤１８を操作することにより、水門の開閉を行うことができる。
【００４４】
本考案は前記した実施の形態に限定されるものではなく、本考案の要旨を変更しない範囲でその構成を変更することもできる。例えば、可搬式駆動装置の動力をモータ以外にガソリンを燃料としたエンジンとしてもよし、可搬式駆動装置にバッテリーを内蔵させていてもよい。カップリングケースの固定手段として、シールアップボルト以外の他の手段を用いてもよいし、把持部の配設箇所や個数は適宜変更することができる。また、実施の形態においては、カップリングケースとケーシングとの当接面において、カップリングケース側に環状凸部及び突起部を設けたが、逆にケーシング側に環状凸部及び突起部を設け、カップリングケース側に環状凹部及び窪み部を設けてもよい。
【符号の説明】
【００４５】
１０：水門開閉装置、１１：基台、１２：動力伝達部、１３：ドラム、１４：可搬式駆動装置、１５：手動ハンドル、１６：開度表示計、１８：操作盤、１９：入力軸、１９ａ：先端部、２０：出力軸、２１：ケーシング、２１ａ：略円筒形状体、２１ｂ：フランジ構造、２１ｃ：端面、２１ｄ：環状凹部、２１e：窪み部、２１ｆ：切り欠き、２２：シールアップボルト、２２a：蝶ナット、２２ｂ：ボルト、２２ｃ：支持部材、２３：回転駆動部、２４：カップリング、２４a：穴部、２５：カップリングケース、２５a：先側端面、２５ｂ：フランジ構造、２５ｃ：切り欠き、２５ｄ：環状凸部、２５e：突起部、２５ｆ：開口部、２６：把持部、２６a：円柱状部分、２８：第１のケーブル、２９：出力軸、３０：ワイヤ、３１：ハンドル格納箱、３１ａ、３２ａ：ギア
【図１】
0003187613.tif 000003
【図２】
0003187613.tif 000004
【図３】
0003187613.tif 000005
【図４】
0003187613.tif 000006
【図５】
0003187613.tif 000007